(57)【要約】      （修正有）【課題】下着と腹部矯正帯とを一体化させて継続着用を促進し、また、下着と同様に違和感なく着用できて、洗濯をする場合にも特別な対応を採る必要がなく、取り扱いも大変に便利な腹部矯正下着の提供。【解決手段】シャツ本体と厚布製の腹部矯正帯とからなり、腹部矯正帯はシャツ本体の裾部背面に一体的に取り付けられて背面から前方へ帯状に延出するとともに、体に巻き着けた状態で係止可能な係止部を備える構成を採用する。また、シャツ本体の替わりにパンツ本体を用いて、腹部矯正帯をパンツ本体の上部背面に一体的に取り付ける構成を採用する。【選択図】図１
0003104902.tif 000002
【実用新案登録請求の範囲】
【請求項１】
シャツ本体と厚布製の腹部矯正帯とからなり、該腹部矯正帯はシャツ本体の裾部背面に一体的に取り付けられて背面から前方へ帯状に延出するとともに、体に巻き着けた状態で係止可能な係止部を備えることを特徴とする腹部矯正下着。
【請求項２】
パンツ本体と厚布製の腹部矯正帯とからなり、該腹部矯正帯はパンツ本体の上部背面に一体的に取り付けられて背面から前方へ帯状に延出するとともに、体に巻き着けた状態で係止可能な係止部を備えることを特徴とする腹部矯正下着。
【考案の詳細な説明】
【技術分野】
【０００１】
本考案は、簡単に着用でき、下腹部の矯正を効果的に行うことができる腹部矯正用下着に関するものである。
【背景技術】
【０００２】
近年、食生活が豊かになったことや運動不足といった背景から、下腹部の肥満傾向が増加している。そして、従来から、下腹部の脂肪を整容して理想のボディーラインに近づけることを目的として、帯状片を用いて腹部を締め付け矯正する手段が採られている。
【考案の開示】
【考案が解決しようとする課題】
【０００３】
しかしながら、かかる従来の帯状片を用いた場合、該帯状片は下着とは別体の着用具であるため着用に際して面倒であり、次第に着用しなくなるといった継続着用の面に問題があった。
【０００４】
上記問題点に鑑み、本考案は、下着と腹部矯正帯とを一体化させて継続着用の促進を図った腹部矯正下着を提供することを目的とする。
【課題を解決するための手段】
【０００５】
前記目的を達成するため、本考案は、シャツ本体と厚布製の腹部矯正帯とからなり、該腹部矯正帯はシャツ本体の裾部背面に一体的に取り付けられて背面から前方へ帯状に延出するとともに、体に巻き着けた状態で係止可能な係止部を備える構成となっている。
【０００６】
また、本考案は、パンツ本体と厚布製の腹部矯正帯とからなり、該腹部矯正帯はパンツ本体の上部背面に一体的に取り付けられて背面から前方へ帯状に延出するとともに、体に巻き着けた状態で係止可能な係止部を備える構成とすることもできる。
【考案の効果】
【０００７】
本考案にかかる腹部矯正下着によれば、下着と腹部矯正帯とが一体となっていることから、下着を着用すれば必ず腹部矯正帯を着用することとなり、継続着用の促進を図ることができる。
【０００８】
また、本考案にかかる腹部矯正下着によれば、腹部矯正帯が厚布製でできているため下着と同様に違和感なく着用でき、また、洗濯をする場合にも特別な対応を採る必要がなく、取り扱いも大変に便利である。
【考案を実施するための最良の形態】
【０００９】
以下、本考案にかかる腹部矯正下着の実施形態を図面に基づいて説明する。
【００１０】
図１は、本考案にかかる腹部矯正下着の第一の実施形態を示す斜視図である。下着としてシャツ本体１を使用し、そのシャツ本体１の裾部背面には腹部矯正帯２が一体的に取り付けられて、背面から前方へ帯状に延出している。腹部矯正帯２の両端には、該腹部矯正帯２を下腹部に巻き着けた状態において係止可能であるように、係止具が備えられている。尚、図面においては、シャツ本体１の裾が腹部矯正帯２の分だけ短くなっており、その裾部下端に腹部矯正帯２が取り付けられている構成を示している。
【００１１】
腹部矯正帯２は厚布製であって、下腹部の矯正という目的を達成するために、ほとんど伸縮性を有さないように作られる。そしてまた布製であるため、下着と同様、直接腹部の肌に触れた場合に汗等の水分を吸収することができ、洗濯するにも特に問題はない。
【００１２】
シャツ本体１と腹部矯正帯２との取り付け手段については特に限定するものではなく、直接縫い合わせたり、接着剤を使用する方法等が考えられる。
【００１３】
また、腹部矯正帯２の両端に備えられている係止具３についても特に限定するものではなく、フックやボタン等を用いたり、ベルクロファスナーを使用する方法等が考えられる。
【００１４】
尚、シャツ本体１の裾部前面に切り込み１ａを設けることが望ましい。腹部矯正帯２を下腹部に巻き着けた際に、シャツ本体１は背面側から前方へ引き延ばされる格好となり、その場合にシャツ本体１の生地が前面において余ってしまうこととなる。その余った生地は通常一箇所付近に集中し、その箇所においてシャツ本体１は生地が幾重にも重なり皺状の塊となって、そのままの状態で腹部矯正帯２を巻き着けると、該塊が腹部に食い込むことになる。その点、シャツ本体１の前面に切り込み１ａを設けることにより、腹部矯正帯２を巻き着けた際にシャツ本体１の余った生地が塊状にならずに綺麗に重なることとなって、かかる問題は解消される。
【００１５】
図２は、本考案にかかる腹部矯正下着の第二の実施形態を示す斜視図である。第一の実施例と同様、下着としてシャツ本体１を使用し、そのシャツ本体１の裾部背面には腹部矯正帯２が一体的に取り付けられて、背面から前方へ帯状に延出している。腹部矯正帯２の両端には、該腹部矯正帯２を下腹部に巻き着けた状態において係止可能であるように、係止部が備えられている。尚、図面においては、シャツ本体１の裾部下端と腹部矯正帯２の下端とが一致するように取り付けられている構成を示している。
【００１６】
尚、第一の実施例と同様、腹部矯正帯２の素材は厚布製で、シャツ本体１と腹部矯正帯２との取り付け手段及び腹部矯正帯２の両端に備えられている係止具３については特に限定するものではない。また、シャツ本体１の裾部前面に切り込み１ａを設けることが望ましいことも、第一の実施例と同様である。
【００１７】
図３は、本考案にかかる腹部矯正下着の第三の実施形態を示す斜視図である。下着としてパンツ本体４を使用し、そのパンツ本体４の上部背面には腹部矯正帯２が一体的に取り付けられて、背面から前方へ帯状に延出している。尚、取り付ける箇所として、パンツ本体４の上端と腹部矯正帯２の下端とが適当な幅だけ重なり取り付けられる構成を採用する。腹部矯正帯２の両端には、該腹部矯正帯２を下腹部に巻き着けた状態において係止可能であるように、係止部が備えられている。
【００１８】
腹部矯正帯２の素材は厚布製であり、パンツ本体４と腹部矯正帯２との取り付け手段及び腹部矯正帯２の両端に備えられている係止具３について特に限定するものではないことは、上記第一及び第二の実施例と同様である。
【００１９】
このとき、パンツ本体４の上部前面に切り込み４ａを設けることが望ましい。腹部矯正帯２を下腹部に巻き着けた際に、パンツ本体４は背面側から前方へ引き延ばされる格好となり、その場合にパンツ本体４の生地が前面において余ってしまうこととなる。その余った生地は通常一箇所付近に集中し、その箇所においてパンツ本体４は生地が幾重にも重なり皺状の塊となって、そのままの状態で腹部矯正帯２を巻き着けると、該塊が腹部に食い込むことになる。その点、パンツ本体４の前面に切り込み４ａを設けることにより、腹部矯正帯２を巻き着けた際にパンツ本体４の余った生地が塊状にならずに綺麗に重なることとなって、かかる問題は解消される。尚、通常パンツ本体４の上部はゴム等による伸縮素材で構成され、そこに切り込み４ａを設けるとその伸縮性が機能しないこととなるが、本考案の場合、腹部矯正帯２と人体下腹部との間にパンツ本体４の上部を挟み込むようにして着用されるため、全く問題はない。
【００２０】
図４は、本考案の第三の実施例にかかる腹部矯正下着を実際に着用する場合の使用状態を示す説明図である。パンツ本体４を着用した後、該パンツ本体４の上部背面に取り付けられた腹部矯正帯２の両端を、両脇を通して前方へ引き出して下腹部へ巻き着ける。その際、下腹部の矯正という目的から、ある程度の力を入れて下腹部を押さえ込むようにして巻き着ける。そして、腹部矯正帯２の帯状に延出された一方の端を所定の下腹部で位置決めをし、その後に他方の端を先に位置決めをした一方の端に重ね合わせ、腹部矯正帯２の両端にそれぞれ備えられた係止具３ａ・３ｂによって、該腹部矯正帯２は完全に固定される。
【図面の簡単な説明】
【００２１】
【図１】本考案にかかる腹部矯正下着の第一の実施形態を示す斜視図である。
【図２】本考案にかかる腹部矯正下着の第二の実施形態を示す斜視図である。
【図３】本考案にかかる腹部矯正下着の第三の実施形態を示す斜視図である。
【図４】本考案にかかる腹部矯正下着を実際に着用する場合の使用状態を示す説明図である。
【符号の説明】
【００２２】
１    シャツ本体
１ａ  切り込み
２    腹部矯正帯
３    係止具
３ａ  係止具
３ｂ  係止具
４    パンツ本体
４ａ  切り込み
【図１】
0003104902.tif 000003
【図２】
0003104902.tif 000004
【図３】
0003104902.tif 000005
【図４】
0003104902.tif 000006